(57)【特許請求の範囲】
【請求項１】
複数の異なる潜水深度で潜水した潜水士が浮上する際の浮上停止時間及び浮上停止深度を管理する潜水管理システムであって、
前記潜水士に装着されて、前記潜水士の潜水深度及び潜水時間を含む潜水ログを計測する水深センサと、
前記潜水ログに基づいて前記潜水深度を下回らない範囲内且つ最浅の規定深度で近似した仮想潜水ログを導出し、前記仮想潜水ログに基づいて前記浮上停止時間及び浮上停止深度を演算する制御手段と、
前記潜水ログと前記仮想潜水ログとをあわせて時系列で表示する表示手段と、
を備え、
前記仮想潜水ログは、最も深い第１の規定深度と該第１の規定深度より浅い第２の規定深度とを少なくとも含むことを特徴とする潜水管理システム。
【請求項２】
前記制御手段を備える潜水士船端末と前記表示手段を備える事務所端末とは、ネットワークを介して接続されていることを特徴とする請求項１記載の潜水管理システム。
【請求項３】
前記潜水士船端末に表示される前記浮上停止時間は、潜水士の浮上開始に応じて入力されるカウントダウン開始信号により数値が減少し始めることを特徴とする請求項２記載の潜水管理システム。
【発明の詳細な説明】
【技術分野】
【０００１】
本発明は、潜水士が浮上する際の浮上停止時間及び浮上停止深度を管理する潜水管理システムに関し、特に、潜水士が複数の異なる潜水深度で潜水作業した際の浮上停止時間及び浮上停止深度を管理する潜水管理システムに関する。
【背景技術】
【０００２】
水中における土木工事や調査等では、潜水士が潜水を行って業務を行う。潜水士が浮上する際には、水圧減少により、体内で窒素等の生理的不活性ガスが過飽和状態となり、気泡化することで潜水症や減圧症が生じる虞がある。そこで、このような潜水症、減圧症の発生リスクを軽減するために、高気圧作業安全衛生規則では、潜水深度及び潜水時間に応じて、浮上時に一時的に停止する浮上停止時間及び浮上停止深度が定められている。
【０００３】
特許文献１では、潜水士に装着されて、潜水士の潜降開始から浮上までの潜水情報を取得する水深センサと、潜水情報に基づいて潜水深度に応じた潜水時間、浮上方法と浮上時間、２回目以降の潜水時の浮上時間の演算処理を法令に則って実行する情報処理装置と、演算処理結果を表示する表示手段と、を備えた潜水管理システムが開示されている。この潜水管理システムでは、浮上停止時間及び浮上停止深度は、情報処理装置に予め記憶された潜水計画で予め定められており、潜水作業中の潮流等に伴い潜水深度及び潜水時間が計画値から変更された場合には、潜水情報（潜水ログ）と潜水計画との間に誤差が生じた場合に潜水計画を修正する。
【先行技術文献】
【特許文献】
【０００４】
【特許文献１】特開２００９−１４９３０１号公報
【非特許文献】
【０００５】
【非特許文献１】潜水作業マニュアル（一般社団法人日本潜水協会発行）
【発明の概要】
【発明が解決しようとする課題】
【０００６】
ところで、２０１５年４月１日改正の高気圧作業安全衛生規則に準拠する非特許文献１では、潜水士が複数の異なる深度で潜水業務を行った場合、潜降開始から浮上開始までの潜水ログを考慮して、浮上停止時間や浮上停止深度を緩和することが認められるようになった。
【０００７】
しかしながら、従来のような潜水管理システムでは、潜水ログにおける深度の推移に係わらず、最深潜水深度と総潜水時間とに基づいて浮上停止時間および浮上停止深度とが算出されていたため、修正後の浮上停止時間及び浮上停止深度の検算が簡単に実施することができた。しかしながら、上述した緩和を考慮した場合には、その緩和の度合いを潜水ログの深度の推移と照らし合わせて検算しなければならず、修正後の浮上停止時間及び浮上停止深度の確認に要する負担が重いという問題があった。
【０００８】
そこで、潜水士が複数の異なる深度で潜水業務を行った場合であっても、浮上停止時間、浮上停止深度の安全上の妥当性を簡便に且つ速やかに確認するために解決すべき技術的課題が生じてくるのであり、本発明は、この課題を解決することを目的とする。
【課題を解決するための手段】
【０００９】
本発明は上記目的を達成するために提案されたものであり、請求項１記載の発明は、複数の異なる潜水深度で潜水した潜水士が浮上する際の浮上停止時間及び浮上停止深度を管理する潜水管理システムであって、前記潜水士に装着されて、前記潜水士の潜水深度及び潜水時間を含む潜水ログを計測する水深センサと、前記潜水ログに基づいて前記潜水深度を下回らない範囲内且つ最浅の規定深度で近似した仮想潜水ログを導出し、前記仮想潜水ログに基づいて前記浮上停止時間及び浮上停止深度を演算する制御手段と、前記潜水ログと前記仮想潜水ログとをあわせて時系列で表示する表示手段と、を備え、前記仮想潜水ログは、最も深い第１の規定深度と該第１の規定深度より浅い第２の規定深度とを少なくとも含む潜水管理システムを提供する。
【００１０】
この構成によれば、表示手段に表示される潜水ログが仮想潜水ログより安全なものであるか否かを一見して確認可能なため、複雑な計算を伴う浮上停止時間、浮上停止深度の安全上の妥当性を簡便に確認することができる。すなわち、潜水士の浮上、潜降に応じた複雑な形状の潜水ログに基づいて浮上停止時間、浮上停止深度を演算する代わりに、潜水ログの潜水深度を下回らない範囲内且つ最浅の規定深度で近似した第１の規定深度と第２の規定深度とを少なくとも含む単純な形状の仮想潜水ログを用いて浮上停止時間、浮上停止深度の演算を行う。このようにして得られた仮想潜水ログと潜水ログとを時系列で重ねて表示することにより、浮上停止時間、浮上停止深度の演算の基礎となる仮想潜水ログが潜水ログをより安全な値で近似されたか否かが容易に確認可能なため、浮上停止時間、浮上停止深度の安全上の妥当性を簡便に確認することができる。
【００１１】
請求項２記載の発明は、請求項１記載の潜水管理システムの構成に加えて、前記制御手段を備える潜水士船端末と前記表示手段を備える事務所端末とは、ネットワークを介して接続されている潜水管理システムを提供する。
【００１２】
この構成によれば、浮上停止時間及び浮上停止深度の演算に必要な高い処理能力を備えた潜水士船端末と潜水ログ及び仮想潜水ログを表示する省機能の事務所端末とが物理的に離間されて接続可能なことにより、演算を実施すると共に演算結果のみを小画面で表示する潜水士船端末と潜水ログ及び仮想潜水ログを大画面で表示する事務所端末とで役割が分けられるため、制御手段の演算結果の安全上の妥当性を速やかに検算しつつ、潜水士船端末を潜水士船に省スペースで設置することができる。
【００１３】
請求項３記載の発明は、請求項２記載の潜水管理システムの構成に加えて、前記潜水士船端末に表示される前記浮上停止時間は、潜水士の浮上開始に応じて入力されるカウントダウン開始信号により数値が減少し始める潜水管理システムを提供する。
【００１４】
この構成によれば、潜水士船の船員や送気員が潜水士船端末に表示される残り浮上停止時間を確認し易いため、過不足のない浮上停止時間での潜水士の浮上を促すことができる。
【発明の効果】
【００１５】
本発明は、表示手段に表示される潜水ログが第１の規定深度と第２の規定深度とを少なくとも含む仮想潜水ログより安全なものであるか否かを一見して確認可能なため、複雑な計算を伴う浮上停止時間、浮上停止深度の安全上の妥当性を簡便に確認することができる。
【図面の簡単な説明】
【００１６】
【図１】本発明の一実施例に係る潜水管理システムを示す模式図。
【図２】図１の潜水管理システムの構成を示すブロック図。
【図３】潜水士が潜降してから浮上するまで間の潜水士船端末の画面。
【図４】潜水士が浮上している最中の潜水士船端末の画面。
【図５】複数の異なる深度で潜水した際の潜降開始から浮上開始までの潜水ログを示す図。
【図６】図５の潜水ログを近似して得られた仮想潜水ログと該仮想潜水ログに基づいて導出された緩和後の浮上停止時間及び浮上停止深度を示す図。
【図７】潜水深度２１ｍに関する標準空気減圧表。
【図８】潜水深度１５ｍに関する標準空気減圧表。
【図９】２回目以降の潜水時に考慮すべき係数を示す繰り返し潜水表。
【図１０】図５の潜水ログに基づいて導出された従来の浮上停止時間及び浮上停止深度を示す図。
【発明を実施するための形態】
【００１７】
本発明に係る潜水管理システムは、潜水士が複数の異なる深度で潜水業務を行った場合であっても、浮上停止時間、浮上停止深度の安全上の妥当性を簡便に且つ速やかに確認するという目的を達成するために、複数の異なる潜水深度で潜水した潜水士が浮上する際の浮上停止時間及び浮上停止深度を管理する潜水管理システムであって、前記潜水士に装着されて、前記潜水士の潜水深度及び潜水時間を含む潜水ログを計測する水深センサと、前記潜水ログに基づいて前記潜水深度を下回らない範囲内且つ最浅の規定深度で近似した仮想潜水ログを導出し、前記仮想潜水ログに基づいて前記浮上停止時間及び浮上停止深度を演算する制御手段と、前記潜水ログと前記仮想潜水ログとをあわせて時系列で表示する表示手段と、を備え、前記仮想潜水ログは、最も深い第１の規定深度と該第１の規定深度より浅い第２の規定深度とを少なくとも含むことにより実現する。
【実施例】
【００１８】
以下、本発明の一実施例に係る潜水管理システム１について、図面に基づいて説明する。図１は、潜水管理システム１を示す模式図である。図２は、潜水管理システムの構成を示すブロック図である。
【００１９】
潜水士２は、潜水士船３から海４に潜水する。潜水士２には、潜水士船３のコンプレッサー５からフーカーホース６を介して空気が供給される。潜水士２は、海底７で所定の作業を遂行する。
【００２０】
潜水管理システム１は、潜水士２に装着された水深センサ１０と、海上の潜水士船３に搭載される潜水士船端末２０と、陸上に設置された情報処理装置３０と、サーバ４０と、を備えている。
【００２１】
また、潜水士船端末２０と情報処理装置末３０とサーバ４０とは、ネットワーク５０を構築する携帯電話通信網５１及びインターネット５２を介して通信可能に接続されている。
【００２２】
水深センサ１０は、連続的又は断続的に潜水士２の潜水深度に応じた水圧を計測して潜水士２の潜水深度及び潜水時間を計測する公知の水圧センサ等である。水深センサ１０が取得した潜水ログは、フーカーホース６と一体に配設された信号線８で潜水士船端末２０と接続されている。なお、水深センサ１０と潜水士船端末２０とは、無線通信で接続されても構わない。
【００２３】
潜水士船端末２０は、潜水士船３の船員、送気員等が所持する携帯情報端末（ＰＤＡ）等である。潜水士船端末２０は、潜水士船端末２０を制御するプログラムが記憶された記憶部２１と、表示部としてのディスプレイ２２と、入力部としてのタッチパネル２３と、タッチパネル２３に対するタッチ入力に応じて潜水士船端末２０を制御する制御部２４と、ネットワーク５０を介して情報処理装置３０及びサーバ４０と通信可能な通信部２５と、を備えている。記憶部２１は、ＲＯＭ、ＲＡＭ、ハードディスク等から構成されている。記憶部２１には、潜水士２の潜水ログから浮上停止時間及び浮上停止深度を演算する際に用いる標準空気減圧表及び繰り返し潜水表に関するデータが記憶されている。なお、標準空気減圧表、繰り返し潜水表の具体的な内容については後述する。制御部２４は、ＣＰＵを備えている。なお、入力部は、タッチパネル２３の他、キーボード等の物理的入力機器であっても構わない。
【００２４】
事務所端末３０は、陸上の現場事務所等に設置されるパーソナルコンピュータである。事務所端末３０は、事務所端末３０の制御や各種演算処理に用いるプログラムが記憶された記憶部３１と、表示部としてのディスプレイ３２と、マウスやキーボード等から成る入力部３３と、入力部３３の入力に応じて事務所端末３０を制御する制御部３４と、ネットワーク５０を介して潜水士船端末２０及びサーバ４０と通信可能な通信部３５と、を備えている。記憶部３１は、ＲＯＭ、ＲＡＭ、ハードディスク等から構成されている。制御部３４は、ＣＰＵを備えている。なお、入力部３３は、タッチパネルであっても構わない。なお、事務所端末３０は、通信機能を備えたタブレットＰＣ等の可搬端末であっても構わない。
【００２５】
サーバ４０には、サーバ４０の制御や各種演算処理に用いるプログラムが記憶された記憶部４１と、潜水士船端末２０及び事務所端末３０の処理要求に応じてサーバ４０を制御する制御部４２と、ネットワーク５０を介して潜水士船端末２０及びサーバ４０と通信可能な通信部４３と、を備えている。
【００２６】
このように、浮上停止時間及び浮上停止深度の演算に必要な高い処理能力を備えた潜水士船端末２０が潜水士船３に設置され、潜水ログ及び仮想潜水ログをディスプレイ３２に表示する省機能の事務所端末３０が陸上に設置されることにより、浮上停止時間及び浮上停止深度の演算を速やかに実行するとともに、潜水士船端末２０を潜水士船３に省スペースで設置することができる。なお、事務所端末３０を可搬端末とした場合には、監督等が現場事務所以外でも潜水ログと仮想潜水ログとを比較することができる。
【００２７】
次に、潜水管理システム１を用いて潜水士２の浮上停止時間、浮上停止深度を得る手順について図面に基づいて説明する。図３（ａ）は、潜水前にディスプレイ２２に表示される画面であり、図３（ｂ）は、潜水業務中にディスプレイ２２に表示される画面である。図４（ａ）は、浮上中にディスプレイ２２に表示される画面であり、図４（ｂ）は、浮上停止中にディスプレイ２２に表示される画面である。
【００２８】
まず、潜水士２が潜水士船３から潜水を開始すると、潜水士船３の船員又は送気員が潜水士船端末２０のディスプレイ２２に表示された図３（ａ）に示す潜水開始ボタンＢ１を押下する。潜降開始ボタンＢ１が押下されると、水深センサ１０は、潜水ログを計測し、潜水ログを潜水士船端末２０に送る。
【００２９】
潜水士船端末２０に送られた潜水ログは、サーバ４０に送られる。潜水ログの送信は、リアルタイム処理又はバッチ処理の何れであっても構わない。
【００３０】
潜水士２が潜水作業を終了すると、潜水士船３の船員又は送気員等がディスプレイ２２に表示された図３（ｂ）に示す浮上開始ボタンＢ２を押下する。浮上開始ボタンＢ２が押下されると、潜水士船端末２０の制御部２４は、潜水ログに基づいて仮想潜水ログを導出し、浮上停止時間及び浮上停止深度の演算処理を行い、それらをサーバ４０に送信する。なお、図３（ａ）、（ｂ）中の減圧時間、すなわち浮上停止時間は潜水前に設定された計画値である。仮想潜水ログの具体的な導出手順、並びに浮上停止時間及び浮上停止深度の具体的な演算処理については、後述する。
【００３１】
サーバ４０は、潜水士船端末２０から送られた潜水ログ、仮想潜水ログ、浮上停止時間及び浮上停止深度を記憶部４１に保存する。
【００３２】
また、ディスプレイ２２には、図４（ａ）に示すように、制御部２４の演算結果に基づいて、浮上停止深度毎に浮上停止時間が表示される。この際、減圧時間の計画値は実際の潜水ログに基づいて制御部２４が演算した浮上停止時間及び浮上停止深度に置き換えられる。
【００３３】
次に、潜水士２が浮上を開始して浮上停止深度に到達すると、潜水士船３の船員又は送気員がディスプレイ２２に表示された図４（ｂ）に示す到達ボタンＢ３を押下する。到達ボタンＢ３が押下されると、潜水士船端末２０にカウントダウン開始信号が入力され、制御部２４がディスプレイ２２上の浮上停止時間の数値を減少させ始める。
【００３４】
ディスプレイ２２上の浮上停止時間がゼロになると、潜水士船３の船員又は送気員が潜水士２にその旨を伝え、潜水士は再び浮上し始める。このように、潜水士船３の船員や送気員が潜水士船端末２０に表示される残り浮上停止時間が確認し易いため、過不足のない浮上停止時間での潜水士の浮上を促すことができる。
【００３５】
次に、潜水士２が複数の異なる潜水深度で潜水した場合の浮上停止時間及び浮上停止深度の具体的な演算処理について図面に基づいて説明する。図５は、複数の異なる深度で潜水した際の潜降開始から浮上開始までの潜水ログを示す図である。図６（ａ）は、図５の潜水ログを近似して得られた仮想潜水ログを示すであり、図６（ｂ）は、図６（ａ）の仮想潜水ログに基づいて導出された浮上停止時間及び浮上停止深度を示す図である。図７は、潜水深度２１ｍに関する標準空気減圧表である。図８は、潜水深度１５ｍに関する標準空気減圧表である。図９は、２回目以降の潜水時に考慮すべき係数を示す繰り返し潜水表である。図１０は、従来の異なる深度での潜水を考慮しない方法で、図５の潜水ログに基づいて導出された浮上停止時間及び浮上停止深度を示す図である。
【００３６】
潜水作業における浮上停止時間、浮上停止深度の具体的な演算手順は、高気圧作業安全衛生規則等の関係法令及び該法令に準拠した非特許文献１にて規定されている。事務所端末３０は、これら法令及びマニュアルに従って導かれる浮上停止時間、浮上停止深度の導出過程を潜水作業の監督者等が一見して視認し易いように可視化する。具体的には、事務所端末３０は、サーバ４０に保存された潜水ログ、仮想潜水ログ、浮上停止時間及び浮上停止深度を呼び出し、潜水ログ及び仮想潜水ログをあわせて時系列をディスプレイ３２に表示すると共に、浮上停止時間及び浮上停止深度をディスプレイ３２に表示する。なお、以下の実施例では、潜水士２が２つの異なる深度で潜水作業を行った場合を例に説明するが、３つ以上の異なる深度で潜水作業を行った場合であっても同様である。
【００３７】
まず、制御部２４は、水深センサ１０が計測した潜水ログに基づいて図５に示すような仮想潜水ログを導出する。仮想ログは、潜水ログを近似することで得られる。潜水ログの近似は、潜水深度を潜水ログの潜水深度を下回らない範囲内で且つ所定間隔（本実施例では、３ｍ毎）に定められた規定深度のうち最浅のものとみなすことにより行う。例えば、潜水ログ上で潜水深度が２０ｍの場合には、仮想ログ上では２１ｍとみなす。このようにして、図６（ａ）に示すように、潜水ログは、潜水士２の昇降に応じて波打つような複雑な形状を呈しているが、仮想潜水ログは、単純な多角形状を呈する。
【００３８】
なお、仮想潜水ログにおいて、深い潜水深度と浅い潜水深度との差は、所定の最小値以上でなければならず、深い潜水深度が３０ｍ未満の場合には、許容される潜水深度差の最小値は６ｍであり、深い潜水深度が３０ｍ以上の場合には、許容される潜水深度差の最小値は９ｍである。
【００３９】
次に、制御部２４は、仮想潜水ログにおける最深の潜水深度及び該潜水深度での潜水時間を求め、また、仮想潜水ログにおける２番目に深い潜水深度及び該潜水深度での潜水時間を求める。本実施例では、図６（ａ）に示すように、最深の潜水深度は２１ｍであり、該潜水深度での潜水時間は６０分である。また、２番目に深い潜水深度は１５ｍであり、該潜水深度での潜水時間は３０分である。
【００４０】
次に、制御部２４は、最深の潜水深度での潜水時間を２番目に深い潜水深度での潜水時間に換算する。具体的には、まず、制御部２４は、潜水深度２１ｍに対応する図７の標準空気減圧表に基づいて、潜水深度２１ｍ及び潜水時間６０分に相当する繰り返し潜水グループ記号Ｈを読み取る。なお、「標準空気減圧表」とは、潜水深度と潜水時間から浮上停止時間、浮上停止深度を読み取る表である。また、「繰り返し潜水グループ記号」とは、潜水深度に達した潜水士体内に存在する窒素ガスの人体への影響を示す指標である。次に、制御部２４は、図８の潜水深度１５ｍの標準空気減圧表中の繰り返し潜水グループ記号から、潜水深度１５ｍにおいて潜水深度２１ｍ及び潜水時間６０分に相当する潜水時間を導く。本実施例では、潜水深度１５ｍの標準空気減圧表中に繰り返し潜水グループ記号Ｈが存在しないため、より厳しい繰り返し潜水グループ記号Ｉとする。このようにして、潜水深度２１ｍでの潜水時間６０分は、潜水深度１５ｍにおいて潜水時間１００分に相当することが求められる。
【００４１】
次に、制御部２４は、潜水深度２１ｍでの潜水時間６０分に相当する潜水深度１５ｍでの潜水時間１００分と潜水深度１５ｍの潜水時間３０分との和、即ち、１３０分を潜水深度１５ｍでの潜水時間とみなす。なお、潜水士２が一日に複数回潜水を行っている場合には、図９の繰り返し潜水表から前回の潜水での繰り返し潜水グループ記号と待機時間とに応じた係数を潜水時間１３０分に乗じて修正潜水時間を得る。なお、「繰り返し潜水表」とは、同一の潜水士２が複数回の潜水を行った場合に、待機時間に応じた潜水時間に乗じる係数を示すものである。
【００４２】
なお、本実施例では、複数の異なる深度で潜水を行う場合に、各潜水深度での潜水時間を考慮して浮上停止時間を短縮しているが、従来は、最深の潜水深度及び総潜水時間から浮上停止時間と浮上停止深度とを演算していた。すなわち、図５のような潜水ログの場合、潜水深度２１ｍで潜水時間９０分となり、図７の標準空気減圧表から、浮上停止深度６ｍで４分間、及び浮上停止深度３ｍで３２分間それぞれ停止しなければなかなかった。このような従来の浮上停止時間、浮上停止深度の演算結果を反映した潜水ログを図１０に示す。
【００４３】
次に、事務所端末３０の制御部３４は、サーバ４０の記憶部４１に保存された潜水ログ及び仮想潜水ログを呼び出し、図６（ｂ）に示すように、潜水ログと仮想潜水ログとをディスプレイ３２上に時系列で重ねて表示する。これにより、潜水作業の監督者等は、潜水深度と近似した値とを一つ一つ比較して正誤を確認することなく、仮想潜水ログが正しく近似されているか否かが一見して視認することができる。すなわち、潜水士２が異なる深度で潜水した場合に、複雑な計算を伴う浮上停止時間、浮上停止深度の演算のうち、仮想潜水ログの導出過程の確認作業を大幅に簡略化することができる。
【００４４】
このようにして、上述した本実施例に係る発明は、表示手段に表示される潜水ログが仮想潜水ログより安全なものであるか否かを一見して確認可能なため、複雑な計算を伴う浮上停止時間、浮上停止深度の安全上の妥当性を簡便に確認することができる。
【００４５】
また、潜水士船端末と情報処理装置とがネットワークを介して接続され、浮上停止時間及び浮上停止深度の演算に必要な高い処理能力を備えた潜水士船端末と潜水ログ及び仮想潜水ログを表示する省機能の事務所端末とが物理的に離間して接続可能なことにより、情報処理装置による浮上停止時間及び浮上停止深度の安全上の妥当性を速やかに実行しつつ、潜水士船端末を潜水士船に省スペースで設置することができる。
【００４６】
さらに、潜水士船端末に表示される浮上停止時間が潜水士の浮上開始に応じて入力されるカウントダウン開始信号により数値が減少し始めることにより、潜水士船の船員や送気員が潜水士船端末に表示される残り浮上停止時間を確認し易いため、過不足のない浮上停止時間での潜水士の浮上を促すことができる。
【００４７】
なお、本発明は、本発明の精神を逸脱しない限り種々の改変をなすことができ、そして、本発明が該改変されたものにも及ぶことは当然である。
【符号の説明】
【００４８】
１  ・・・  潜水管理システム
２  ・・・  潜水士
３  ・・・  潜水士船
５  ・・・  コンプレッサー
６  ・・・  フーカーホース
８  ・・・  信号線
１０・・・  水深センサ
２０・・・  潜水士船端末
２１・・・  （潜水士船端末の）記憶部
２２・・・  （潜水士船端末の）ディスプレイ
２３・・・  タッチパネル
２４・・・  （潜水士船端末の）制御部
２５・・・  （潜水士船端末の）通信部
３０・・・  事務所端末
３１・・・  （事務所端末の）記憶部
３２・・・  （事務所端末の）ディスプレイ
３３・・・  入力部
３４・・・  （事務所端末の）制御部
３５・・・  （事務所端末の）通信部
４０・・・  サーバ
４１・・・  記憶部
４２・・・  制御部
４３・・・  通信部
５０・・・  ネットワーク
【要約】
【課題】潜水士が複数の異なる深度で潜水業務を行った場合であっても、浮上停止時間、浮上停止深度の安全上の妥当性を簡便に且つ速やかに確認可能な潜水管理システムを提供する。
【解決手段】潜水士２に装着されて潜水士２の潜水深度及び潜水時間を含む潜水ログを計測する水深センサ１０と、潜水ログに基づいて潜水深度を下回らない範囲内且つ最浅の規定深度で近似された仮想潜水ログを導出し、仮想潜水ログに基づいて浮上停止時間及び浮上停止深度を演算する潜水士船端末２０と、潜水ログと仮想潜水ログとをあわせて時系列で表示するディスプレイ３２と、を備えている潜水管理システム１。
【選択図】図６【図１】
0005807133.tif 000002
【図２】
0005807133.tif 000003
【図３】
0005807133.tif 000004
【図４】
0005807133.tif 000005
【図５】
0005807133.tif 000006
【図６】
0005807133.tif 000007
【図７】
0005807133.tif 000008
【図８】
0005807133.tif 000009
【図９】
0005807133.tif 000010
【図１０】
0005807133.tif 000011